(57)【要約】【課題】ネットワーク機器の接続設定を簡易に、かつ利用者による接続設定に誤りがある場合にも適切に接続設定を行う。【解決手段】画像伝送情報を記憶する画像伝送情報記憶手段１０４ａと、カメラＣ１乃至Ｃ６のうちいずれか１を選択する選択信号と選択されたカメラＣ１乃至Ｃ６の伝送設定情報とを取得し、伝送設定情報と選択信号と画像伝送情報とからネットワーク伝送総量を算出し、ネットワーク伝送総量がネットワーク２における伝送能力を超えているか否かを判定する伝送負荷判定手段１０１ａと、ネットワーク伝送能力を超えている場合は、ネットワーク伝送総量以上のネットワーク伝送能力を有する他のネットワーク監視装置を検索する変更先検索手段１０１ｂと、他のネットワーク監視装置が存在しない場合には、ネットワーク伝送総量がネットワーク伝送能力以下となるように伝送設定情報を更新する伝送量調整手段１０１ｃとを備える。【選択図】    図１
2008205669.tif 000002
【特許請求の範囲】
【請求項１】
複数のカメラと複数の表示装置と複数のネットワーク監視装置とがネットワークを介してそれぞれ接続され、前記各ネットワーク監視装置の制御により、前記カメラにより撮影された撮影画像データを前記ネットワーク監視装置を経由して前記表示装置に配信するネットワーク映像監視システムに用いられるネットワーク監視装置であって、
前記各カメラにおける前記撮影画像データの伝送条件を示した画像伝送情報を記憶する画像伝送情報記憶手段と、
前記複数のカメラのうちいずれか１つを選択する選択信号とこの選択信号により選択されたカメラの伝送能力として設定された伝送設定情報とを取得し、この取得した伝送設定情報と前記選択信号と前記画像伝送情報記憶手段に記憶された画像伝送情報とからネットワーク伝送総量を算出し、このネットワーク伝送総量が前記ネットワークにおける当該ネットワーク監視装置の伝送能力を超えているか否かを判定する伝送負荷判定手段と、
前記伝送負荷判定手段により、前記ネットワーク伝送総量が前記ネットワークにおける当該ネットワーク監視装置の伝送能力を超えていると判定された場合には、前記複数のネットワーク監視装置の中から前記ネットワーク伝送総量以上のネットワーク伝送能力を有するいずれかのネットワーク監視装置を検索する変更先検索手段と、
前記変更先検索手段によりいずれのネットワーク監視装置も検索されない場合には、前記ネットワーク伝送総量が前記ネットワーク伝送能力以下となるように前記伝送設定情報を更新する伝送量調整手段と
を備えたことを特徴とするネットワーク監視装置。
【請求項２】
前記各表示装置で前記撮影画像データを表示するための伝送条件を示した配信先伝送情報を記憶する配信先記憶手段と、
前記複数の表示装置のうちいずれか１つを選択する選択信号とこの選択信号により選択された表示装置の表示処理能力として設定された配信先設定情報とを取得し、この取得した配信先設定情報と前記選択信号と前記配信先記憶手段に記憶された配信先伝送情報とから前記配信先設定情報に基づいて前記選択された表示装置にて表示可能か否かを判定する表示判定手段と、
前記表示判定手段により表示可能と判定された場合に、前記配信先設定情報に基づいて前記選択された表示装置へ前記撮影画像データを送信する一方、前記表示判定手段により表示不可能と判定された場合に、前記取得した配信先伝送情報に基づいて前記選択された表示装置へ前記撮影画像データを送信する送信処理手段と、
前記送信処理手段にて送信された撮影画像データの伝送量が前記選択された表示装置の表示処理能力を超えていることを示す送信エラー信号を前記選択された表示装置から受信した場合には、前記受信した送信エラー信号に基づいて前記選択された表示装置の表示処理能力以下となるように前記配信先伝送情報を更新する配信先調整手段と
を更に備えたことを特徴とする、請求項１に記載のネットワーク監視装置。
【請求項３】
複数のカメラと複数の表示装置と複数のネットワーク監視装置とがネットワークを介してそれぞれ接続され、前記各ネットワーク監視装置の制御により、前記カメラにより撮影された撮影画像データを前記ネットワーク監視装置を経由して前記表示装置に配信するネットワーク映像監視システムに用いられるネットワーク監視装置に適用されるネットワーク監視プログラムであって、
コンピュータを、
前記各カメラにおける前記撮影画像データの伝送条件を示した画像伝送情報を記憶する画像伝送情報記憶手段と、
前記複数のカメラのうちいずれか１つを選択する選択信号とこの選択信号により選択されたカメラの伝送能力として設定された伝送設定情報とを取得し、この取得した伝送設定情報と前記選択信号と前記画像伝送情報記憶手段に記憶された画像伝送情報とからネットワーク伝送総量を算出し、このネットワーク伝送総量が前記ネットワークにおける当該ネットワーク監視装置の伝送能力を超えているか否かを判定する伝送負荷判定手段と、
前記伝送負荷判定手段により、前記ネットワーク伝送総量が前記ネットワークにおける当該ネットワーク監視装置の伝送能力を超えていると判定された場合には、前記複数のネットワーク監視装置の中から前記ネットワーク伝送総量以上のネットワーク伝送能力を有するいずれかのネットワーク監視装置を検索する変更先検索手段と、
前記変更先検索手段によりいずれのネットワーク監視装置も検索されない場合には、前記ネットワーク伝送総量が前記ネットワーク伝送能力以下となるように前記伝送設定情報を更新する伝送量調整手段と
して機能させるためのネットワーク監視プログラム。
【請求項４】
前記各表示装置で前記撮影画像データを表示するための伝送条件を示した配信先伝送情報を記憶する配信先記憶手段と、
前記複数の表示装置のうちいずれか１つを選択する選択信号とこの選択信号により選択された表示装置の表示処理能力として設定された配信先設定情報とを取得し、この取得した配信先設定情報と前記選択信号と前記配信先記憶手段に記憶された配信先伝送情報とから前記配信先設定情報に基づいて前記選択された表示装置にて表示可能か否かを判定する表示判定手段と、
前記表示判定手段により表示可能と判定された場合に、前記配信先設定情報に基づいて前記選択された表示装置へ前記撮影画像データを送信する一方、前記表示判定手段により表示不可能と判定された場合に、前記取得した配信先伝送情報に基づいて前記選択された表示装置へ前記撮影画像データを送信する送信処理手段と、
前記送信処理手段にて送信された撮影画像データの伝送量が前記選択された表示装置の表示処理能力を超えていることを示す送信エラー信号を前記選択された表示装置から受信した場合には、前記受信した送信エラー信号に基づいて前記選択された表示装置の表示処理能力以下となるように前記配信先伝送情報を更新する配信先調整手段と
を更に備えたことを特徴とする、請求項３に記載のネットワーク監視プログラム。
【発明の詳細な説明】
【技術分野】
【０００１】
本発明は、ネットワークを介して接続されたネットワーク機器の設定を適切に行うためのネットワーク監視装置及びネットワーク監視プログラムに関する。
【背景技術】
【０００２】
ホテル、商用ビル、又はコンビニエンスストア等には、犯罪防止を目的として、監視カメラとこの監視カメラが撮影した画像を表示する表示装置とを備えた監視カメラシステムが設置されることが多い。
【０００３】
一方、昨今のＩＰネットワークの普及により、ネットワークに接続することができるカメラや記録装置等のネットワーク機器が普及してきている。そのため、これらのネットワーク機器を上記監視カメラシステムに適用させて、ネットワークに接続された監視カメラが撮影した画像を、ネットワークを介してパーソナルコンピュータやＰＤＡ端末等の装置に配信する映像監視システムが用いられるようになっている。
【０００４】
しかしながら、このような映像監視システムでは、ネットワークに接続するネットワーク機器を個別に設定する必要がある。例えばネットワーク対応の監視カメラでは、フレームレート値、画質（圧縮率）、及びＩＰアドレス等の設定を行う必要があり、また、ネットワーク対応の記録装置では、記録コマ数、記録の予約等の設定を行う必要があった。
【０００５】
そのため、映像監視システムのネットワーク機器数が増加すると、この設定作業が利用者にとって手間になるばかりではなく、ネットワーク機器の設定の誤りによって、必要以上にネットワークに負荷がかかりトラフィックの輻輳（トラフィック渋滞）が発生したり、映像監視システム全体が正常に稼動しなくなるという問題があった。
【０００６】
そこで、特許文献１には、監視カメラを識別するカメラ情報を登録し、監視モニタから要求される監視対象に応じて登録されたカメラ情報を元に、該当する監視カメラへの接続情報を検索するインデックスサーバと、検索された接続情報に基づいて監視カメラに撮影画像を要求する監視モニタとを備えた監視カメラシステムが提案されている。
【特許文献１】特開２００４−１６６０２４号公報
【発明の開示】
【発明が解決しようとする課題】
【０００７】
しかしながら、特許文献１に記載の監視カメラシステムでは、監視カメラへの接続情報を検索するサーバを新たに設置する必要があり、コストが増大するという問題があった。また、監視カメラへの接続情報の値に誤りがあった場合、又はこの接続情報がネットワーク伝送能力やその他ハードウェアの処理能力を逸脱して設定されている場合、監視カメラシステム全体が、正常に稼動しなくなるという問題もあった。
【０００８】
本発明は、上記問題に鑑みてなされたものであり、ネットワーク機器の接続設定を簡易に、かつ利用者による接続設定に誤りがある場合にも適切に接続設定を行うことが可能なネットワーク監視装置及びネットワーク監視プログラムを提供することを目的とする。
【課題を解決するための手段】
【０００９】
上記目的を解決するため、本発明に係るネットワーク監視装置の第１の特徴は、複数のカメラと複数の表示装置と複数のネットワーク監視装置とがネットワークを介してそれぞれ接続され、各ネットワーク監視装置の制御により、カメラにより撮影された撮影画像データをネットワーク監視装置を経由して表示装置に配信するネットワーク映像監視システムに用いられるネットワーク監視装置であって、各カメラにおける撮影画像データの伝送条件を示した画像伝送情報を記憶する画像伝送情報記憶手段と、複数のカメラのうちいずれか１つを選択する選択信号とこの選択信号により選択されたカメラの伝送能力として設定された伝送設定情報とを取得し、この取得した伝送設定情報と選択信号と画像伝送情報記憶手段に記憶された画像伝送情報とからネットワーク伝送総量を算出し、このネットワーク伝送総量がネットワークにおける当該ネットワーク監視装置の伝送能力を超えているか否かを判定する伝送負荷判定手段と、伝送負荷判定手段により、ネットワーク伝送総量が前記ネットワークにおける当該ネットワーク監視装置の伝送能力を超えていると判定された場合には、複数のネットワーク監視装置の中からネットワーク伝送総量以上のネットワーク伝送能力を有するいずれかのネットワーク監視装置を検索する変更先検索手段と、変更先検索手段によりいずれのネットワーク監視装置も検索されない場合には、ネットワーク伝送総量がネットワーク伝送能力以下となるように伝送設定情報を更新する伝送量調整手段とを備えたことにある。
【００１０】
上記目的を解決するため、本発明に係るネットワーク監視装置の第２の特徴は、各表示装置で前記撮影画像データを表示するための伝送条件を示した配信先伝送情報を記憶する配信先記憶手段と、複数の表示装置のうちいずれか１つを選択する選択信号とこの選択信号により選択された表示装置の表示処理能力として設定された配信先設定情報とを取得し、この取得した配信先設定情報と選択信号と配信先記憶手段に記憶された配信先伝送情報とから配信先設定情報に基づいて選択された表示装置にて表示可能か否かを判定する表示判定手段と、表示判定手段により表示可能と判定された場合に、配信先設定情報に基づいて前記選択された表示装置へ撮影画像データを送信する一方、表示判定手段により表示不可能と判定された場合に、取得した配信先伝送情報に基づいて選択された表示装置へ前記撮影画像データを送信する送信処理手段と、送信処理手段にて送信された撮影画像データの伝送量が選択された表示装置の表示処理能力を超えていることを示す送信エラー信号を選択された表示装置から受信した場合には、受信した送信エラー信号に基づいて選択された表示装置の表示処理能力以下となるように配信先伝送情報を更新する配信先調整手段とを更に備えたことにある。
【発明の効果】
【００１１】
本発明に係るネットワーク監視装置及びネットワーク監視プログラムによれば、ネットワーク機器の接続設定を簡易に、かつ利用者による接続設定に誤りがある場合にも適切に接続設定を行うことができる。
【発明を実施するための最良の形態】
【００１２】
以下、本発明を実施するための最良の形態について図面を参照して説明する。
【００１３】
図１は、本実施形態であるネットワーク監視装置を適用した映像監視システム（ネットワーク映像監視システム）の構成を示したブロック図である。
【００１４】
図１において、映像監視システム１は、ネットワークカメラＣ１乃至Ｃ６と、ネットワーク監視装置１０，２０，３０と、表示装置４０，５０とを備え、各々はネットワーク２を介して接続されている。
【００１５】
ネットワークカメラＣ１乃至Ｃ６は、図示しないが、レンズ等による光学系と、ＣＣＤ等の光電変換回路を有した撮像部と、撮像した画像を符号化する符号化部と、ネットワーク２に接続して通信するためのネットワークインタフェース部とを備えており、撮影した撮影画像データを符号化してネットワーク２へ送信する。
【００１６】
表示装置４０，５０は、液晶ディスプレイなどであり、ネットワーク監視装置１０，２０，３０からの信号により、ネットワークカメラＣ１乃至Ｃ６が撮影した撮影画像などを受信して表示する。
【００１７】
ネットワーク監視装置１０は、ＣＰＵ１０１と、ネットワークインタフェース１０２と、ＲＡＭ１０３と、フラッシュＲＯＭ１０４と、ハードディスク１０５とを備え、各々はバス１０６を介して接続されている。
【００１８】
また、ネットワーク監視装置２０，３０は、ネットワーク監視装置１０と同様の構成を有しているので、以下ではネットワーク監視装置１０についてのみ説明し、ネットワーク監視装置２０，３０についての説明は省略する。
【００１９】
なお、ネットワーク監視装置１０は、初期設定としてネットワークカメラＣ１及びＣ２が撮影した撮影画像を受信するように接続設定されており、同様に、ネットワーク監視装置２０はネットワークカメラＣ３及びＣ４が撮影した撮影画像を受信するように、ネットワーク監視装置３０は、ネットワークカメラＣ５及びＣ６が撮影した撮影画像を受信するように接続設定されている。
【００２０】
ネットワーク監視装置１０のＣＰＵ１０１は、ネットワーク監視プログラムを実行することによって、その機能上、伝送負荷判定手段１０１ａと、変更先検索手段１０１ｂと、伝送量調整手段１０１ｃと、表示判定手段１０１ｄと、送信処理手段１０１ｅと、配信先調整手段１０１ｆとを実装する。
【００２１】
ネットワークインタフェース１０２は、ＬＡＮカードやシリアルポートなどの通信装置であり、このネットワークインタフェース１０２を介してネットワーク２に接続することによって、ネットワークカメラＣ１及びＣ２が撮影した撮影画像を受信することができる。
【００２２】
ＲＡＭ１０３には、ＣＰＵ１０１の各手段１０１ａ乃至１０１ｆが機能する上で必要なデータ等が記憶されている。
【００２３】
フラッシュＲＯＭ１０４は、その機能ブロックとして、画像伝送情報記憶手段１０４ａと、配信先記憶手段１０４ｂと、ネットワーク監視装置情報記憶手段１０４ｃと、ネットワークカメラ情報記憶手段１０４ｄと、予約情報記憶手段１０４ｅとを備える。
【００２４】
ハードディスク１０５には、オペレーティングシステムなどのプログラムの他に、本実施形態であるネットワーク監視装置１０に適用されるネットワーク監視プログラム等も記憶されている。また、ハードディスク１０５には、ネットワークカメラＣ１及びＣ２が撮影した撮影画像データが記憶されている。
【００２５】
ＣＰＵ１０１の伝送負荷判定手段１０１ａは、外部入力によりネットワークカメラＣ１乃至Ｃ６のうちいずれか１つを選択する選択信号と、この選択信号により選択されたネットワークカメラＣ１乃至Ｃ６の伝送能力として設定された伝送設定情報とを取得し、取得した選択信号及び伝送設定情報と画像伝送情報記憶手段１０４ａに記憶された画像伝送情報とからネットワーク２におけるネットワーク伝送総量を算出し、算出したネットワーク伝送総量がネットワーク監視装置１０の伝送能力を超えているか否かを判定する。
【００２６】
変更先検索手段１０１ｂは、伝送負荷判定手段１０１ａによりネットワーク伝送総量がネットワーク伝送能力を超えていると判定された場合において、ネットワーク伝送総量以上のネットワーク伝送能力を有する他のネットワーク監視装置２０，３０を検索する。
【００２７】
伝送量調整手段１０１ｃは、変更先検索手段１０１ｂにより他のネットワーク監視装置２０，３０が存在すると判定された場合には、ネットワーク監視装置２０，３０の接続設定を変更し、変更先検索手段１０１ｂにより他のネットワーク監視装置２０，３０が存在しないと判定された場合には、ネットワーク伝送総量がネットワーク伝送能力以下となるように伝送設定情報を更新する。
【００２８】
表示判定手段１０１ｄは、外部入力により表示装置４０，５０のうちいずれか１つを選択する選択信号と、この選択信号により選択された表示装置４０，５０の表示処理能力として設定された配信先設定情報とを取得し、取得した選択信号及び配信先設定情報と配信先記憶手段１０４ｂにより記憶された配信先伝送情報とから選択された表示装置４０，５０において表示可能か否かを判定する。
【００２９】
送信処理手段１０１ｅは、表示判定手段１０１ｄにより表示可能と判定された場合に、配信先設定情報に基づいて選択された表示装置４０，５０へ撮影画像データを送信し、又は表示判定手段１０１ｄにより表示不可能と判定された場合に、取得した配信先伝送情報に基づいて選択された表示装置４０，５０へ撮影画像データを送信する。
【００３０】
配信先調整手段１０１ｆは、送信処理手段１０１ｅにて送信された撮影画像データの伝送量が選択された表示装置４０，５０の表示処理能力を超えていることを示す送信エラー信号を選択された表示装置４０，５０から受信した場合には、受信した送信エラー信号に基づいて選択された表示装置４０，５０の表示処理能力以下となるように配信先伝送情報テーブルを更新する。
【００３１】
フラッシュＲＯＭ１０４の画像伝送情報記憶手段１０４ａは、ネットワークカメラＣ１及びＣ２における撮影画像データの伝送可能な条件を示した画像伝送情報を記憶する。具体的には、図２に示すように、カラム名“フレームレート値”と、カラム名“画質設定値”と、カラム名“ビットレート値”とを関連付けて画像伝送情報テーブルとして記憶する。
【００３２】
フラッシュＲＯＭ１０４の配信先記憶手段１０４ｂは、表示装置４０，５０における撮影画像データの表示可能な伝送条件を示した配信先伝送情報を記憶する。具体的には、図３に示すように、カラム名“配信先ＩＰアドレス”と、カラム名“配信先ＭＡＣアドレス”と、カラム名“対応フレームレート性能限界”と、カラム名“画像フォーマット”とを関連付けて配信先伝送情報テーブルとして記憶する。
【００３３】
フラッシュＲＯＭ１０４のネットワーク監視装置情報記憶手段１０４ｃは、ネットワーク監視装置１０，２０，３０の固有の情報を示したネットワーク監視装置情報を記憶する。具体的には、図４に示すように、カラム名“ネットワーク監視装置ＩＤ”と、カラム名“ネットワーク監視装置名”と、カラム名“ＩＰアドレス”と、カラム名“電源状態”とを関連付けてネットワーク監視装置情報テーブルとして記憶する。
【００３４】
フラッシュＲＯＭ１０４のネットワークカメラ情報記憶手段１０４ｄは、ネットワークカメラＣ１及びＣ２の固有の情報を示したネットワークカメラ情報を記憶する。具体的には、図５に示すように、カラム名“ネットワークカメラＩＤ”と、カラム名“ネットワークカメラ名称”と、カラム名“ネットワークカメラ機種名”と、カラム名“ＩＰアドレス”とを関連付けてネットワークカメラ情報テーブルとして記憶する。
【００３５】
フラッシュＲＯＭ１０４の予約情報記憶手段１０４ｅは、ネットワークカメラＣ１及びＣ２毎の予約情報を記憶する。具体的には、図６に示すように、カラム名“ネットワークカメラＩＤ”と、カラム名“記録フラグ”と、カラム名“記録予約フラグ”と、カラム名“記録開始時刻”と、カラム名“記録終了時刻”とを関連付けて予約情報テーブルとして記憶する。
【００３６】
＜ネットワーク監視装置の作用＞
次に、本実施形態であるネットワーク監視装置１０の作用について図面を参照して説明する。
【００３７】
図７は、利用者によって伝送設定情報が入力された場合の、ネットワーク監視装置１０，２０の処理を示したフローチャートである（ネットワーク監視装置３０の処理については図を省略する）。まず、ネットワーク監視装置１０は、利用者の入力操作によって生成された設定開始の要求信号と利用者が設定を希望するカメラの選択信号とを受信する（ステップＳ１０１、Ｓ１０２）。ここでは、利用者の入力操作によってネットワークカメラＣ４が選択された選択信号を受信したとする。
【００３８】
そして、ネットワーク監視装置１０のＣＰＵ１０１は、フラッシュＲＯＭ１０４に記憶された図４に示したネットワーク監視装置情報テーブルを読み出し、読み出したネットワーク監視装置情報テーブルから、ネットワーク監視装置２０，３０の「電源状態」データを抽出する。
【００３９】
ＣＰＵ１０１は、抽出したネットワーク監視装置２０の「電源状態」データが“ＯＦＦ”である場合、即ちネットワーク監視装置２０がスタンバイモードであると判定した場合（ステップＳ１０３）には、ネットワーク監視装置２０に対して電源を“ＯＮ”にする電源投入要求信号を送信する（ステップＳ１０４）。同様に抽出したネットワーク監視装置３０の電源状態が“ＯＦＦ”である場合、ネットワーク監視装置３０に対して電源を“ＯＮ”にする電源投入要求信号を送信する。
【００４０】
電源投入信号を受信したネットワーク監視装置２０，３０は、電源を投入する（ステップＳ１０５）。
【００４１】
次に、ネットワーク監視装置１０は、ネットワーク監視装置２０，３０に対して、各々のネットワーク監視装置２０，３０がネットワークカメラＣ１及びＣ６のうちいずれと接続設定されているかを示すネットワークカメラ接続情報を要求する取得要求信号を送信する（ステップＳ１０６）。
【００４２】
そして、取得要求信号を受信したネットワーク監視装置２０，３０は、各々のネットワークカメラ接続情報を送信する（ステップＳ１０７）。
【００４３】
図８は、ネットワーク監視装置２０，３０が送信するネットワークカメラ接続情報の一例を示した説明図である。
【００４４】
図８に示すように、ネットワークカメラ接続情報は、ネットワーク監視装置に一意に割り当てられる「装置ＩＤ」及び「カメラ数」からなるヘッダに、接続されたカメラ毎の「カメラＩＤ」、「カメラ名称」、「カメラ機種名」、及び「ＩＰアドレス」のデータが付加されて構成されている。
【００４５】
これにより、ネットワーク監視装置１０は、初期設定としてネットワーク監視装置２０がネットワークカメラＣ３及びＣ４からの撮影画像データを受信するよう接続設定されており、ネットワーク監視装置３０がネットワークカメラＣ５及びＣ６からの撮影画像データを受信するよう接続設定されていると認識することができる。
【００４６】
このようにして、ネットワーク監視装置１０は、例えば、利用者によってネットワークカメラＣ４が選択されたとすると、取得したネットワークカメラ接続情報によって、ネットワーク監視装置２０がネットワークカメラＣ４からの撮影画像データを受信するように接続設定されていると認識する。
【００４７】
そこで、ネットワーク監視装置１０は、ネットワーク監視装置２０に対し、利用者によって選択されたネットワークカメラＣ４の画像伝送情報の送信要求信号を送信する（ステップＳ１１０）。送信要求信号を受信したネットワーク監視装置２０は、ネットワークカメラＣ４の画像伝送情報をネットワーク監視装置１０へ送信する（ステップＳ１１１）。
【００４８】
次に、利用者によってネットワーク監視装置１０の設定変更の入力操作がなされた場合には、この入力操作によって受け付けた設定変更の要求信号を受信する（ステップＳ１１３）。そして、ネットワーク監視装置１０は、受信した設定変更の要求信号が適切であるか否かの正当性の判定を行い、設定変更の要求信号が適切でない場合には訂正する（ステップＳ１１４）。この正当性判定及び訂正の処理については後述する。
【００４９】
次に、ネットワーク監視装置１０は、正当性判定の結果、ネットワーク監視装置２０の画像伝送情報又は配信先伝送情報が適切ではないと判定した場合、訂正した画像伝送情報又は配信先伝送情報を訂正し、訂正した内容で更新する（ステップＳ１１６）。具体的には、図９に示すようなネットワークカメラＣ４の更新要求信号や図１０に示すようなネットワーク監視装置２０の更新要求信号をネットワーク監視装置２０へ送信する。
【００５０】
更新要求信号を受信したネットワーク監視装置２０は、更新要求信号に基づいて更新する（ステップＳ１１７）。
【００５１】
そして、ネットワーク監視装置１０は、利用者の入力操作によって設定変更の要求信号を受信する度に、ステップＳ１１３乃至Ｓ１１８の処理を繰り返す（ステップＳ１１９）。
【００５２】
次に、ネットワーク監視装置１０は、利用者の入力操作によって生成された設定終了の要求信号を受信すると（ステップＳ１２０）、ネットワーク監視装置２０の電源状態が“ＯＮ”である場合（ステップＳ１２１）には、ネットワーク監視装置２０に対して電源を“ＯＦＦ”にする電源断要求信号を送信する（ステップＳ１２２）。同様に、ネットワーク監視装置３０の電源状態が“ＯＮ”である場合、ネットワーク監視装置３０に対して電源を“ＯＦＦ”にする電源断要求信号を送信する。
【００５３】
電源投入信号を受信したネットワーク監視装置２０，３０は、電源を切断する（ステップＳ１２３）。
【００５４】
＜正当性判定及び訂正処理＞
次に、利用者によって配信先設定情報が入力された場合における本実施形態であるネットワーク監視装置１０の正当性判定及び訂正処理の手順について図面を参照して説明する。
【００５５】
図１１は、利用者によって伝送設定情報が入力された場合の、ネットワーク監視装置１０，２０の正当性判定及び訂正処理の手順を示したフローチャートである（ネットワーク監視装置３０の処理については図を省略する）。
【００５６】
まず、利用者の入力操作によって、ネットワーク監視装置１０は、ネットワーク２を介して、ネットワークカメラＣ１乃至Ｃ２のうちいずれか１を選択する選択信号と、この選択信号により選択されたネットワークカメラＣ１乃至Ｃ２の伝送能力として設定された伝送設定情報、具体的には利用者の入力操作によって「フレームレート値」及び「画質設定値」が設定された伝送設定情報を受信する（ステップＳ２０１）。
【００５７】
そして、ＣＰＵ１０１の伝送負荷判定手段１０１ａは、フラッシュＲＯＭ１０４の画像伝送情報記憶手段１０４ａにより記憶された画像伝送情報テーブルを読み出し、読み出した画像伝送情報テーブルと、受信した伝送設定情報とから、受信した伝送設定情報の「フレームレート値」及び「画質設定値」に対応する「ビットレート値」を抽出する（ステップＳ２０２）。
【００５８】
次に、ＣＰＵ１０１の伝送負荷判定手段１０１ａは、読み出した画像伝送情報と、受信した伝送設定情報とから、ネットワーク監視装置１０に接続されているネットワークカメラＣ１及びＣ２の総ビットレートを算出する（ステップＳ２０３）。そして、ＣＰＵ１０１の伝送負荷判定手段１０１ａは、算出した総ビットレートがネットワーク監視装置１０のネットワーク伝送能力を超えているか否かを判定する（ステップＳ２０４）。
【００５９】
次に、ＣＰＵ１０１の変更先検索手段１０１ｂは、伝送負荷判定手段１０１ａが、ステップＳ２０４において、総ビットレート値がネットワーク伝送能力を超えていると判定した場合、この総ビットレート値以上のネットワーク伝送能力を有する他のネットワーク監視装置２０，３０を検索する。
【００６０】
具体的には、ＣＰＵ１０１の変更先検索手段１０１ｂは、総ビットレート値の送信要求信号をネットワーク監視装置２０，３０へ送信する（ステップＳ２０５）。そして、総ビットレート値の送信要求信号を受信したネットワーク監視装置２０は、ネットワーク監視装置２０に接続されているネットワークカメラＣ３及びＣ４の総ビットレート値を算出し、算出した総ビットレート値をネットワーク監視装置１０へ送信する。同様に、ネットワーク監視装置３０は接続されているネットワークカメラＣ５及びＣ６の総ビットレートを算出し、ネットワーク監視装置１０へ送信する（ステップＳ２０６）。
【００６１】
そして、変更先検索手段１０１ｂは、受信した総ビットレート値に余裕がある、即ち、受信したネットワーク監視装置２０，３０のいずれかの総ビットレート値がネットワーク監視装置２０，３０の伝送能力を十分下回っている場合には、そのネットワーク監視装置へネットワークカメラの接続を変更する接続変更要求信号を送信する（ステップＳ２０８）。例えば、ネットワーク監視装置２０の総ビットレートに余裕がある場合には、ネットワークカメラＣ４の撮影画像データをネットワーク監視装置２０へ送信するように接続設定を変更する接続変更要求信号をネットワーク監視装置２０へ送信する。
【００６２】
そして、接続変更要求信号を受信したネットワーク監視装置２０は、ネットワークカメラＣ４の接続設定を変更する（ステップＳ２０９）。
【００６３】
一方、ステップＳ２０７において、変更先検索手段１０１ｂが、ネットワーク監視装置２０，３０のいずれの変更後の総ビットレート値も、ネットワーク監視装置２０，３０のネットワーク伝送能力を超えていると判定した場合には、ＣＰＵ１０１の伝送量調整手段１０１ｃは、ステップＳ２０３で算出した総ビットレート値がネットワーク監視装置１０のネットワーク伝送能力以下となるように伝送設定情報を変更する（ステップＳ２１０）。具体的には、変更後の総ビットレート値がネットワーク監視装置１０のネットワーク伝送能力以下となるように、ネットワーク監視装置１０に接続しているネットワークカメラＣ１及びＣ２の「フレームレート値」及び「画質設定値」を順に変更する。
【００６４】
そして、伝送量調整手段１０１ｃは、フラッシュＲＯＭ１０４の画像伝送情報記憶手段１０４ａにより記憶された画像伝送情報テーブルを変更後の伝送設定情報で更新させる（ステップＳ２１１）。
【００６５】
これにより、利用者にとって、ネットワークカメラＣ１乃至Ｃ６の接続設定を接続設定を簡易にでき、かつ利用者による接続設定に誤りがある場合にも適切に接続設定を行うことができる。
【００６６】
次に、利用者によって配信先設定情報が入力された場合における本実施形態であるネットワーク監視装置１０の正当性判定及び訂正処理の手順について図面を参照して説明する。
【００６７】
図１２は、利用者によって配信先設定情報が入力された場合の、ネットワーク監視装置１０の正当性判定及び訂正処理の手順を示したフローチャートである。
【００６８】
まず、利用者の入力操作によって、ネットワーク監視装置１０は、ネットワーク２を介して、表示装置４０，５０のうちいずれか一方を選択する選択信号と、変更された「フレームレート値」を配信先設定情報として受信する（ステップＳ３０１、Ｓ３０２）。ここでは、表示装置４０を選択する選択要求信号を受信したとする。
【００６９】
そして、ＣＰＵ１０１の表示判定手段１０１ｄは、フラッシュＲＯＭ１０４の配信先記憶手段１０４ｂにより記憶された配信先伝送情報テーブルを読み出し、読み出した配信先伝送情報テーブルから選択された表示装置４０に対応する配信先伝送情報を検索し（ステップＳ３０３）、該当する配信先伝送情報が存在する場合には、該当する配信先伝送情報を抽出する（ステップＳ３０４）。
【００７０】
そして、表示判定手段１０１ｄは、ステップＳ３０２において取得した選択信号と配信先設定情報テーブルと抽出した配信先伝送情報とから選択された表示装置４０にて表示可能か否かを判定する（ステップＳ３０５）。具体的には、読み出した配信先伝送情報テーブルから表示装置４０の「配信先ＩＰアドレス」に対応する「対応フレームレート性能限界」を抽出する。そして、抽出した「対応フレームレート性能限界」と受信した「フレームレート値」を比較し、「フレームレート値」が、「対応フレームレート性能限界」を超えていれば、表示装置４０にて表示不可能と判定する。
【００７１】
次に、送信処理手段１０１ｅは、表示判定手段１０１ｄにより表示可能と判定された場合に、配信先設定情報に基づいて表示装置４０へ撮影画像データを送信する（ステップＳ３０７、Ｓ３０８）。
【００７２】
一方、表示判定手段１０１ｄにより表示不可能と判定された場合は、取得した配信先伝送情報に基づいて選択された表示装置４０へ撮影画像データを送信する（ステップＳ３０６、Ｓ３０８）。
【００７３】
そして、表示装置４０は、送信処理手段１０１ｅにて送信された撮影画像データを受信し、受信した撮影画像データを表示する。このとき、表示装置４０は、表示している撮影画像データのフレームレート値を検出する。
【００７４】
次に、表示装置４０は、送信処理手段１０１ｅにて送信された撮影画像データの伝送量が表示装置４０の表示処理能力を超えている場合、即ち、受信している撮影画像データのフレームレート値が、表示している撮影画像データのフレームレートを超えている場合、ステップＳ３０６、又はステップＳ３０７において設定された設定値が不適正であると判定する（ステップＳ３０９）。
【００７５】
この場合、表示装置４０は、送信処理手段１０１ｅにて送信された撮影画像データの伝送量が表示装置４０の表示処理能力を超えていることを示す送信エラー信号をネットワーク監視装置１０へ送信する（ステップＳ３１０）。
【００７６】
次に、ネットワーク監視装置１０の配信先調整手段１０１ｆは、表示装置４０から送信エラー信号を受信すると、受信した送信エラー信号に基づいて選択された表示装置４０，５０の表示処理能力以下となるように配信先伝送情報を更新する（ステップＳ３１１）。
【００７７】
そして、ネットワーク監視装置１０は、更新された配信先伝送情報に基づいて撮影画像データを表示装置４０へ送信する（ステップＳ３１３）。
【００７８】
このように、利用者によって入力された設定の正当性判定及び訂正処理を行うことによって、利用者にとって、表示装置４０，５０の接続設定を簡易にでき、かつ利用者による接続設定に誤りがある場合にも適切に接続設定を行うことができる。
【００７９】
なお、本実施形態であるネットワーク監視装置１０を適用した映像監視システム１では、ネットワークカメラＣ１乃至Ｃ６の計６台と、ネットワーク監視装置１０，２０，３０の計３台と、表示装置４０，５０の計２台を有する構成としたが、この台数に限定されずさらに各々の台数を増加しても同様の効果を得ることができる。
【図面の簡単な説明】
【００８０】
【図１】本発明の一実施形態であるネットワーク監視装置を適用した映像監視システムの構成を示したブロック図である。
【図２】画像伝送情報記憶手段により記憶された画像伝送情報テーブルの一例を示した説明図である。
【図３】配信先記憶手段により記憶された配信先伝送情報テーブルの一例を示した説明図である。
【図４】ネットワーク監視装置情報記憶手段により記録されたネットワーク監視装置情報テーブルの一例を示した説明図である。
【図５】ネットワークカメラ情報記憶手段により記憶されたネットワークカメラ情報テーブルの一例を示した説明図である。
【図６】予約情報記憶手段により記憶されたネットワークカメラ毎の予約情報テーブルの一例を示した説明図である。
【図７】利用者によって伝送設定情報が入力された場合におけるネットワーク監視装置の処理を示したフローチャートである。
【図８】ネットワーク監視装置が送信するネットワークカメラ接続情報の一例を示した説明図である。
【図９】ネットワークカメラの更新要求信号の一例を示した説明図である。
【図１０】ネットワーク監視装置の更新要求信号の一例を示した説明図である。
【図１１】利用者によって伝送設定情報が入力された場合におけるネットワーク監視装置の正当性判定及び訂正処理の手順を示したフローチャートである。
【図１２】利用者によって配信先設定情報が入力された場合におけるネットワーク監視装置の正当性判定及び訂正処理の手順を示したフローチャートである。
【符号の説明】
【００８１】
１…映像監視システム
１０，２０，３０…ネットワーク監視装置
４０，５０…表示装置
１０１…ＣＰＵ
１０１ａ…伝送負荷判定手段
１０１ｂ…変更先検索手段
１０１ｃ…伝送量調整手段
１０１ｄ…表示判定手段
１０１ｅ…送信処理手段
１０１ｆ…配信先調整手段
１０２…ネットワークインタフェース
１０３…ＲＡＭ
１０４…フラッシュＲＯＭ
１０４ａ…画像伝送情報記憶手段
１０４ｂ…配信先記憶手段
１０４ｃ…ネットワーク監視装置情報記憶手段
１０４ｄ…ネットワークカメラ情報記憶手段
１０４ｅ…予約情報記憶手段
１０５…ハードディスク
【図１】
2008205669.tif 000003
【図２】
2008205669.tif 000004
【図３】
2008205669.tif 000005
【図４】
2008205669.tif 000006
【図５】
2008205669.tif 000007
【図６】
2008205669.tif 000008
【図７】
2008205669.tif 000009
【図８】
2008205669.tif 000010
【図９】
2008205669.tif 000011
【図１０】
2008205669.tif 000012
【図１１】
2008205669.tif 000013
【図１２】
2008205669.tif 000014